【手続補正書】
【提出日】平成26年10月27日(2014.10.27)
【手続補正１】
【補正対象書類名】明細書
【補正対象項目名】０００７
【補正方法】変更
【補正の内容】
【０００７】
本発明は、所定の色のインクを吐出するための複数の吐出口が所定方向に配列された吐出口列を有する記録ヘッドと、前記記録ヘッドを記録媒体上の複数の単位領域それぞれに対して前記所定方向と交差する走査方向にＮ（Ｎ≧３）回走査させる走査手段と、前記記録媒体を前記走査方向と交差する搬送方向に搬送する搬送手段と、前記複数の単位領域それぞれに対して前記Ｎ回の走査それぞれにおいて前記所定の色のインクを吐出するように制御する制御手段と、を有するインクジェット記録装置であって、前記制御手段は、前記複数の単位領域のうちの前記記録媒体上の前記搬送方向における端部に位置する第１の単位領域に対する１回目の走査における前記所定の色のインクによる記録率が、前記第１の単位領域に対するＮ回目の走査における前記所定の色のインクによる記録率よりも低くなるように、インクの吐出を制御することを特徴とする。
【手続補正２】
【補正対象書類名】明細書
【補正対象項目名】０００８
【補正方法】変更
【補正の内容】
【０００８】
本発明によれば、記録媒体の端部への記録の際に、記録媒体の変形によって記録ヘッドと記録媒体との間の距離が変化することを抑えることができるので、記録画像の品質が低下することを抑制することができる。
【手続補正３】
【補正対象書類名】特許請求の範囲
【補正対象項目名】全文
【補正方法】変更
【補正の内容】
【特許請求の範囲】
【請求項１】
所定の色のインクを吐出するための複数の吐出口が所定方向に配列された吐出口列を有する記録ヘッドと、
前記記録ヘッドを記録媒体上の複数の単位領域それぞれに対して前記所定方向と交差する走査方向にＮ（Ｎ≧３）回走査させる走査手段と、
前記記録媒体を前記走査方向と交差する搬送方向に搬送する搬送手段と、
前記複数の単位領域それぞれに対して前記Ｎ回の走査それぞれにおいて前記所定の色のインクを吐出するように制御する制御手段と、を有するインクジェット記録装置であって、
前記制御手段は、前記複数の単位領域のうちの前記記録媒体上の前記搬送方向における端部に位置する第１の単位領域に対する１回目の走査における前記所定の色のインクによる記録率が、前記第１の単位領域に対するＮ回目の走査における前記所定の色のインクによる記録率よりも低くなるように、インクの吐出を制御することを特徴とするインクジェット記録装置。
【請求項２】
前記制御手段は、前記第１の単位領域に対する１回目の走査からＫ（１＜Ｋ＜Ｎ）回目の走査までのＫ回の走査それぞれにおける前記所定の色のインクによる記録率のそれぞれが、前記第１の単位領域に対するＫ＋１回目の走査からＮ回目の走査までのＮ−Ｋ回の走査それぞれにおける前記所定の色のインクによる記録率のいずれよりも低くなるように、インクの吐出を制御することを特徴とする請求項１に記載のインクジェット記録装置。
【請求項３】
（Ｎ−１）／２≦Ｋ≦（Ｎ＋１）／２であることを特徴とする請求項２に記載のインクジェット記録装置。
【請求項４】
Ｋ＝Ｎ／２であることを特徴とする請求項３に記載のインクジェット記録装置。
【請求項５】
前記制御手段は、前記第１の単位領域に対する１回目の走査からＮ回目の走査までのＮ回の走査それぞれにおける前記所定の色のインクによる記録率のそれぞれが互いに異なるように、インクの吐出を制御することを特徴とする請求項１から４のいずれか１項に記載のインクジェット記録装置。
【請求項６】
前記制御手段は、前記複数の単位領域のうちの前記記録媒体上の前記搬送方向における中央部に位置する第２の単位領域に対する１回目の走査における前記所定の色のインクによる記録率と、前記第２の単位領域に対するＮ回目の走査における前記所定の色のインクによる記録率と、が互いにほぼ等しくなるように、インクの吐出を制御することを特徴とする請求項１から５のいずれか１項に記載のインクジェット記録装置。
【請求項７】
前記制御手段は、前記第２の単位領域に対する１回目の走査からＮ回目の走査までのＮ回の走査それぞれにおける前記所定の色のインクによる記録率のそれぞれが互いにほぼ等しくなるように、インクの吐出を制御することを特徴とする請求項６に記載のインクジェット記録装置。
【請求項８】
前記記録ヘッドは、前記所定の色のインクを吐出するための複数の吐出口が前記所定方向に配列された第１の吐出口列と、前記所定の色のインクを吐出するための複数の吐出口が前記所定方向に配列され、且つ、前記第１の吐出口列よりも前記搬送方向における下流側にずれた位置に配置された第２の吐出口列と、を少なくとも有することを特徴とする請求項１から７のいずれか１項に記載のインクジェット記録装置。
【請求項９】
前記搬送手段は、前記第１の単位領域に対する１回目の走査において、前記第１の吐出口列の前記搬送方向における上流側の端部に配置された所定数の吐出口と前記第１の単位領域とが対向し、且つ、前記第１の単位領域に対するＮ回目の走査において、前記第２の吐出口列の前記搬送方向における下流側の端部に配置された所定数の吐出口と前記第１の単位領域とが対向するように、前記記録媒体を搬送することを特徴とする請求項８に記載のインクジェット記録装置。
【請求項１０】
前記記録媒体の種類に関する情報を取得する第１の取得手段を更に有し、
前記制御手段は、（ｉ）前記第１の取得手段により取得された前記情報が示す前記記録媒体の種類が普通紙またはコート紙である場合、前記第１の単位領域に対する１回目の走査からＫ（１＜Ｋ＜Ｎ）回目の走査までのＫ回の走査それぞれにおける前記所定の色のインクによる記録率のそれぞれが、前記第１の単位領域に対するＫ＋１回目の走査からＮ回目の走査までのＮ−Ｋ回の走査それぞれにおける前記所定の色のインクによる記録率のいずれよりも低くなるように、インクの吐出を制御し、且つ、（ｉｉ）前記第１の取得手段により取得された前記情報が示す前記記録媒体の種類が普通紙およびコート紙でない場合、前記第１の単位領域に対する１回目の走査からＮ回目の走査までのＮ回の走査それぞれにおける前記所定の色のインクによる記録率のそれぞれが互いにほぼ等しくなるように、インクの吐出を制御することを特徴とする請求項１から９のいずれか１項に記載のインクジェット記録装置。
【請求項１１】
前記Ｎの値に関する情報を取得する第２の取得手段を更に有し、
前記制御手段は、（ｉ）前記第２の取得手段により取得された前記情報が示す前記Ｎの値が第１の閾値以上である場合、前記第１の単位領域に対する１回目の走査からＫ（１＜Ｋ＜Ｎ）回目の走査までのＫ回の走査それぞれにおける前記所定の色のインクによる記録率のそれぞれが、前記第１の単位領域に対するＫ＋１回目の走査からＮ回目の走査までのＮ−Ｋ回の走査それぞれにおける前記所定の色のインクによる記録率のいずれよりも低くなるように、インクの吐出を制御し、且つ、（ｉｉ）前記第２の取得手段により取得された前記情報が示す前記Ｎの値が前記第１の閾値未満である場合、前記第１の単位領域に対する１回目の走査からＮ回目の走査までのＮ回の走査それぞれにおける前記所定の色のインクによる記録率のそれぞれが互いにほぼ等しくなるように、インクの吐出を制御することを特徴とする請求項１から１０のいずれか１項に記載のインクジェット記録装置。
【請求項１２】
前記第１の閾値は、４であることを特徴とする請求項１１に記載のインクジェット記録装置。
【請求項１３】
前記記録ヘッドの周辺部における湿度に関する情報を取得する第３の取得手段を更に有し、
前記制御手段は、（ｉ）前記第３の取得手段により取得された前記情報が示す前記湿度が第２の閾値以下である場合、前記第１の単位領域に対する１回目の走査からＫ（１＜Ｋ＜Ｎ）回目の走査までのＫ回の走査それぞれにおける前記所定の色のインクによる記録率のそれぞれが、前記第１の単位領域に対するＫ＋１回目の走査からＮ回目の走査までのＮ−Ｋ回の走査それぞれにおける前記所定の色のインクによる記録率のいずれよりも低くなるように、インクの吐出を制御し、且つ、（ｉｉ）前記第３の取得手段により取得された前記情報が示す前記湿度が前記第２の閾値よりも高い場合、前記第１の単位領域に対する１回目の走査からＮ回目の走査までのＮ回の走査それぞれにおける前記所定の色のインクによる記録率のそれぞれが互いにほぼ等しくなるように、インクの吐出を制御することを特徴とする請求項１から１２のいずれか１項に記載のインクジェット記録装置。
【請求項１４】
前記第２の閾値は、３０％であることを特徴とする請求項１３に記載のインクジェット記録装置。
【請求項１５】
前記記録媒体上の前記搬送方向における端部に対してインクを吐出せずに前記記録媒体上に記録を行う第１の記録モードと、前記記録媒体上の前記搬送方向における端部に対してもインクを吐出して前記記録媒体上に記録を行う第２の記録モードと、を少なくとも含む複数の記録モードのうちから実行する記録モードを決定する決定手段を更に有し、
前記制御手段は、（ｉ）前記決定手段に決定された記録モードが前記第２の記録モードである場合、前記第１の単位領域に対する１回目の走査からＫ（１＜Ｋ＜Ｎ）回目の走査までのＫ回の走査それぞれにおける前記所定の色のインクによる記録率のそれぞれが、前記第１の単位領域に対するＫ＋１回目の走査からＮ回目の走査までのＮ−Ｋ回の走査それぞれにおける前記所定の色のインクによる記録率のいずれよりも低くなるように、インクの吐出を制御し、且つ、（ｉｉ）前記決定手段により決定された記録モードが前記第１の記録モードである場合、前記第１の単位領域に対する１回目の走査からＮ回目の走査までのＮ回の走査それぞれにおける前記所定の色のインクによる記録率のそれぞれが互いにほぼ等しくなるように、インクの吐出を制御することを特徴とする請求項１から１４のいずれか１項に記載のインクジェット記録装置。
【請求項１６】
所定の色のインクを吐出するための複数の吐出口が所定方向に配列された吐出口列を有する記録ヘッドを用いて画像を記録するインクジェット記録方法であって、
前記記録ヘッドを記録媒体上の複数の単位領域それぞれに対して前記所定方向と交差する走査方向にＮ（Ｎ≧３）回走査させる走査工程と、
前記記録媒体を前記走査方向と交差する搬送方向に搬送する搬送工程と、
前記複数の単位領域それぞれに対して前記Ｎ回の走査それぞれにおいて前記所定の色のインクを吐出するように制御する制御工程と、を有し、
前記制御工程は、前記複数の単位領域のうちの前記記録媒体上の前記搬送方向における端部に位置する第１の単位領域に対する１回目の走査における前記所定の色のインクによる記録率が、前記第１の単位領域に対するＮ回目の走査における前記所定の色のインクによる記録率よりも低くなるように、インクの吐出を制御することを特徴とするインクジェット記録方法。